(57)【要約】【課題】利用者の操作によってロック解除の状態を保持可能な引き戸装置およびこれに用いるセーフティーストッパーを提供する。【解決手段】引き戸１を所定の位置でロックしてそれ以上開かないようにする一方、ロックを解除することで引き戸１を所定の位置よりもさらに開けるようにするセーフティーストッパーＳを備えた引き戸装置Ｈであって、セーフティーストッパーＳには、引き戸１の戸閉方向における戸先側１ａから表出し、ロックを解除した状態を保持する機能と、ロックを解除した状態からロック可能な状態へ自動復帰する機能とを選択可能な切り替えレバー８０、１９０が設けられている。【選択図】図５
2019218785.tif 000002
【特許請求の範囲】
【請求項１】
引き戸を所定の位置でロックしてそれ以上開かないようにする一方、ロックを解除することで前記引き戸を前記所定の位置よりもさらに開けるようにするセーフティーストッパーを備えた引き戸装置であって、
前記セーフティーストッパーには、前記引き戸の戸閉方向における戸先側から表出し、ロックを解除した状態を保持する機能と、ロックを解除した状態からロック可能な状態へ自動復帰する機能とを選択可能な切り替えレバーが設けられていることを特徴とする引き戸装置。
【請求項２】
前記セーフティーストッパーは、
建屋側部材に取り付けられたブロック体と、
前記引き戸側に取り付けられ、戸開時に前記ブロック体に当接することによってロックされるレバーを有するストッパー装置とで構成され、
前記ストッパー装置には、前記引き戸の板厚方向に延在し、前記レバーが上下に回動する回動軸が設けられ、
前記レバーには、前記ストッパー装置の引き戸閉方向における端部から表出し、前記切り替えレバーが設けられた操作部と、前記回動軸を挟んで前記操作部の反対側に、前記引き戸を開方向へ移動させるときに前記ブロック体と当接する当接部とが設けられ、
前記切り替えレバーは、前記操作部の第２回動軸を中心に回動し、一方の回動位置で前記ストッパー装置の本体部と当接することで、前記レバーの前記当接部が前記ブロック体と当接しない位置で保持されるようになり、他方の回動位置で前記本体部と当接しないようにすることで、前記レバーの前記当接部が前記ブロック体と当接する位置まで自重で回動するように構成したことを特徴とする請求項１に記載の引き戸装置。
【請求項３】
引き戸を所定の位置でロックしてそれ以上開かないようにする一方、ロックを解除することで前記引き戸を前記所定の位置よりもさらに開けるようにするセーフティーストッパーであって、
前記引き戸の戸閉方向における戸先側から表出し、ロックを解除した状態を保持する機能と、ロックを解除した状態からロック可能な状態へ自動復帰する機能とを選択可能な切り替えレバーが設けられていることを特徴とするセーフティーストッパー。
【請求項４】
建屋側部材に取り付けられたブロック体と、前記引き戸側に取り付けられ、戸開時に前記ブロック体に当接することによってロックされるレバーを有するストッパー装置とで構成され、
前記ストッパー装置には、前記引き戸の板厚方向に延在し、前記レバーが上下に回動する回動軸が設けられ、
前記レバーには、前記ストッパー装置の引き戸閉方向における端部から表出し、前記切り替えレバーが設けられた操作部と、前記回動軸を挟んで前記操作部の反対側に、前記引き戸を開方向へ移動させるときに前記ブロック体と当接する当接部とが設けられ、
前記切り替えレバーは、前記操作部の第２回動軸を中心に回動し、一方の回動位置で前記ストッパー装置の本体部と当接することで、前記レバーの前記当接部が前記ブロック体と当接しない位置で保持されるようになり、他方の回動位置で前記本体部と当接しないようにすることで、前記レバーの前記当接部が前記ブロック体と当接する位置まで自重で回動するように構成したことを特徴とする請求項３に記載のセーフティーストッパー。
【請求項５】
前記切り替えレバーには、当該切り替えレバーを回動させるための爪部が設けられており、前記爪部は、前記切り替えレバーが前記ストッパー装置の前記本体部と当接した状態で、前記引き戸の戸先側の面とほぼ面一になるように構成されていることを特徴とする請求項４に記載のセーフティーストッパー。
【発明の詳細な説明】
【技術分野】
【０００１】
本発明は、引き戸を開く際に、この引き戸が所定の位置よりも開かないようにする一方、ロックを解除することで引き戸を所定の位置よりもさらに開けるようにした引き戸装置、およびこれに用いるセーフティーストッパーに関する。
【背景技術】
【０００２】
建屋の出入り口や収納庫などに設けられた引き戸装置では、引き戸を開く際に、引き戸の取手を持つ人の指が戸袋等に挟まれてしまうおそれがある。そのため、指が挟まれる位置よりも手前側で、引き戸がそれ以上に開かないようにするためのセーフティーストッパーが用いられている。また、このセーフティーストッパーは、解除することによって引き戸を完全に開ける（開ききれる）ようにもすることができる。
【０００３】
例えば、特許文献１に記載されている引き戸装置は、開いた引き戸が戸袋に収納されるタイプのものであり、引き戸の戸先側（引き戸の閉方向における先端側）にセーフティーストッパーが取り付けられている。このセーフティーストッパーは、建屋側に取り付けられたブロック体と、引き戸側に取り付けられたストッパー装置によって構成されており、引き戸を開く際に所定の位置でストッパー装置がブロック体に当接する（ロックする）ことによって所定の位置よりも引き戸が開かないようにしている。また、このストッパー装置に設けられた解除レバーを利用者が指で押し続けている間だけ、ストッパー装置とブロック体とが当接しないようにする（ロックを解除する）ことができ、簡単な操作で引き戸を開ききれるようにしている。そして、利用者が解除レバーから指を離したときには、ストッパー装置が自動復帰して、上述した所定の位置でストッパー装置がブロック体に当接するようになることで、ロックのし忘れによって指が挟まれることがないようにしている。
【先行技術文献】
【特許文献】
【０００４】
【特許文献１】特開２０１５−２２４５１６号公報
【発明の概要】
【発明が解決しようとする課題】
【０００５】
例えば、利用者が複数回にわたって荷物を搬入（搬出）しようとする場合において、引き戸を常に開ききったままの状態で留めておくことができるのであれば、上述した従来技術で問題は生じない。しかしながら、搬入の度に引き戸を閉じた状態に戻さなければならないときには、引き戸を開く度に利用者が解除レバーを押してロックを解除し、引き戸を開ききった状態にしなければならず、手間がかかる。
【０００６】
本発明は、上述した事情を鑑みてなされたものであり、その目的は、利用者の操作によってロック解除の状態を保持可能な引き戸装置およびこれに用いるセーフティーストッパーを提供することにある。
【課題を解決するための手段】
【０００７】
上述した課題を解決するために、本発明に係る引き戸装置は、引き戸を所定の位置でロックしてそれ以上開かないようにする一方、ロックを解除することで前記引き戸を前記所定の位置よりもさらに開けるようにするセーフティーストッパーを備えた引き戸装置であって、前記セーフティーストッパーには、前記引き戸の戸閉方向における戸先側から表出し、ロックを解除した状態を保持する機能と、ロックを解除した状態からロック可能な状態へ自動復帰する機能とを選択可能な切り替えレバーが設けられていることを特徴とする。
【０００８】
また、前記セーフティーストッパーは、建屋側部材に取り付けられたブロック体と、前記引き戸側に取り付けられ、戸開時に前記ブロック体に当接することによってロックされるレバーを有するストッパー装置とで構成され、前記ストッパー装置には、前記引き戸の板厚方向に延在し、前記レバーが上下に回動する回動軸が設けられ、前記レバーには、前記ストッパー装置の引き戸閉方向における端部から表出し、前記切り替えレバーが設けられた操作部と、前記回動軸を挟んで前記操作部の反対側に、前記引き戸を開方向へ移動させるときに前記ブロック体と当接する当接部とが設けられ、前記切り替えレバーは、前記操作部の第２回動軸を中心に回動し、一方の回動位置で前記ストッパー装置の本体部と当接することで、前記レバーの前記当接部が前記ブロック体と当接しない位置で保持されるようになり、他方の回動位置で前記本体部と当接しないようにすることで、前記レバーの前記当接部が前記ブロック体と当接する位置まで自重で回動するように構成することもできる。
【０００９】
さらに、前記引き戸には、前記引き戸を戸先側から見て、前記ストッパー装置の本体部を覆うフロントカバーが取り付けられるようにしてもよい。
【００１０】
本発明に係るセーフティーストッパーは、引き戸を所定の位置でロックしてそれ以上開かないようにする一方、ロックを解除することで前記引き戸を前記所定の位置よりもさらに開けるようにするセーフティーストッパーであって、前記引き戸の戸閉方向における戸先側から表出し、ロックを解除した状態を保持する機能と、ロックを解除した状態からロック可能な状態へ自動復帰する機能とを選択可能な切り替えレバーが設けられていることを特徴とする。
【００１１】
また、建屋側部材に取り付けられたブロック体と、前記引き戸側に取り付けられ、戸開時に前記ブロック体に当接することによってロックされるレバーを有するストッパー装置とで構成され、前記ストッパー装置には、前記引き戸の板厚方向に延在し、前記レバーが上下に回動する回動軸が設けられ、前記レバーには、前記ストッパー装置の引き戸閉方向における端部から表出し、前記切り替えレバーが設けられた操作部と、前記回動軸を挟んで前記操作部の反対側に、前記引き戸を開方向へ移動させるときに前記ブロック体と当接する当接部とが設けられ、前記切り替えレバーは、前記操作部の第２回動軸を中心に回動し、一方の回動位置で前記ストッパー装置の本体部と当接することで、前記レバーの前記当接部が前記ブロック体と当接しない位置で保持されるようになり、他方の回動位置で前記本体部と当接しないようにすることで、前記レバーの前記当接部が前記ブロック体と当接する位置まで自重で回動するように構成することもできる。
【００１２】
さらに、前記切り替えレバーには、当該切り替えレバーを回動させるための爪部が設けられており、前記爪部は、前記切り替えレバーが前記ストッパー装置の前記本体部と当接した状態で、前記引き戸の戸先側の面とほぼ面一になるように構成されていてもよい。
【発明の効果】
【００１３】
本発明に係る引き戸装置およびセーフティーストッパーは、前記引き戸の戸閉方向における戸先側から表出し、ロックを解除した状態を保持する機能と、ロックを解除した状態からロック可能な状態へ自動復帰する機能とを選択可能な切り替えレバーが設けられているので、利用者は、これらの機能の切り替え作業を容易に行うことができる。
【図面の簡単な説明】
【００１４】
【図１】本発明の実施の形態に係る引き戸装置にセーフティーストッパーを設けた平面図であり、（Ａ）〜（Ｃ）はセーフティーストッパーが機能する態様を示したものである。
【図２】（Ａ）は、図１（Ｃ）の状態を戸先側の斜め上から見た斜視図であり、（Ｂ）は図１（Ｃ）の状態を戸先側から見た図である。
【図３】ブロック体の斜視図である。
【図４】ストッパー装置の斜視図である。
【図５】図４の分解斜視図である。
【図６】レバーの回動支持部の拡大図である。
【図７】切り替えレバーを単体で示す斜視図である。
【図８】切り替えレバーを下側に回動させた状態を示す拡大斜視図である。
【図９】図８の状態から切り替えレバーを上側に回動させた状態を示す拡大斜視図である。
【図１０】ストッパー装置であって、（Ａ）は切り替えレバーを下側に回動させた状態、（Ｂ）は上側に回動させた状態を示す。
【図１１】図４の状態から切り替えレバーを上側に回動させた状態を示す斜視図である。
【図１２】ストッパー装置の変形例であって、切り替えレバーを下側に回動させた状態である。
【図１３】図１２の分解斜視図である。
【図１４】（Ａ）は、図１２の状態から切り替えレバーを上側に回動させた状態、（Ｂ）は、図１２の状態から切り替えレバーを回動させずに押圧部を押し込んだ状態である。
【図１５】（Ａ）は、図１２を戸先側の斜め上から見た斜視図、（Ｂ）は、図１４（Ａ）を戸先側の斜め上から見た斜視図である。
【図１６】切り替えレバーを下側に回動させた状態を示す拡大斜視図である。
【図１７】図１６の状態から切り替えレバーを上側に回動させた状態を示す拡大斜視図である。
【発明を実施するための最良の形態】
【００１５】
以下、本発明の実施の形態に係る引き戸装置Ｈおよびこれに用いるセーフティーストッパーＳについて、図面を用いて詳細に説明する。図１は、本発明の実施の形態に係る引き戸装置ＨにセーフティーストッパーＳを取り付けた状態を上側から見たものであり、（Ａ）は、引き戸を閉じた状態（セーフティーストッパーＳが機能（作動）する前の態様）、（Ｂ）は、セーフティーストッパーを機能させ、引き戸の先端が少しだけ突出している状態、（Ｃ）は、セーフティーストッパーの機能（作動）を解除させ、引き戸が完全に開ききった状態を示している。また、図２（Ａ）は、図１（Ｃ）の状態を戸先側の斜め上から見た斜視図であり、（Ｂ）は図１（Ｃ）の状態を戸先側から見たものである。
なお、本実施の形態では、引き戸１を開いたときに引き戸１が戸袋２内に収納されるタイプの引き戸装置ＨにセーフティーストッパーＳを取り付けたものについて説明する。
【００１６】
また、以下の説明で使用する方向で、戸開側とは、引き戸１を開く方向（図１の紙面右側）をいい、戸閉側とは、引き戸１を閉じる方向（図１の紙面左側）をいう。また、上側、下側とは、図２の紙面上下方向をいう。さらに、表側とは、図１の紙面下側を正面とし、この正面から引き戸１を見た側をいい、裏側とは、表側の反対側をいう。また、幅方向とは、引き戸１の板厚方向であって、表面側（或いは裏面側）から裏面側（或いは表面側）に向かう方向をいうものとする。
【００１７】
セーフティーストッパーＳは、図１および図２に示すように、ブロック体１０と、ストッパー装置２０とで構成されている。引き戸１の下側には、ブロック体１０が取り付けられている。このブロック体１０は、取付ねじ（図示せず）によって床面５上に固定する態様で取り付けられている。また、床面５には、引き戸の開閉方向に沿って下側レールを取り付け、この下側レールにブロック体１０を取り付けるようにしてもよい。なお、本明細書では、上述した「床面５」または「下側レール」を総称して、「建屋側部材」と記載する。
【００１８】
一方、引き戸１の下面には、図２（Ａ）および図２（Ｂ）に示すように、開閉方向に沿って延びる溝部１ｂが形成されている。この溝部１ｂは、引き戸１の戸先側１ａから戸尻側まで連続して形成されており、戸先側１ａの先端面にはこの溝部１ｂの開口１ｃが形成されている。ストッパー装置２０は、この溝部１ｂ内であって、引き戸１の戸先側１ａの先端部分に収容され、開口１ｃから表出する態様で取り付けられている。
【００１９】
なお、引き戸１の上側には、案内ローラ（図示せず）が取り付けられている。この案内ローラは、引き戸１を吊り下げる態様で取り付けられており、案内ローラが上側レール上を開閉方向に沿って自由に転動することによって、引き戸１が開閉方向にスムーズに移動できるようになっている。
【００２０】
このセーフティーストッパーＳは、ブロック体１０と、ストッパー装置２０とが協働することによって機能する。まずは、この機能について簡単に説明する。図１（Ａ）に示すように、引き戸１が閉じた状態では、ブロック体１０とストッパー装置２０とは離れており、セーフティーストッパーＳは機能（作動）していない。この状態から、引き戸１を開くと、図１（Ｂ）に示すように、ブロック体１０とストッパー装置２０とが当接し、引き戸１がＬ２の長さだけ突出した状態でこれ以上開かないようになる（開口がＬ１の長さまで開いた状態）。引き戸１の取手（図示せず）は、この突出した部分の引き戸１の表面側或いは裏面側に位置するようになる。この状態でストッパー装置２０を操作して当接を解除（ロックを解除）することにより、図１（Ｃ）および図２（Ａ）、（Ｂ）に示すように、引き戸１をさらに開く（開口がＬ３の長さまで開いた状態）ことができるようになる。なお、セーフティーストッパーＳの詳細な作用・動作の説明は、ブロック体１０、ストッパー装置２０の構造を説明した後に行う。
【００２１】
図３は、ブロック体１０の斜視図である。ブロック体１０は、平板状の座部１１と、この座部１１の上面から上方向に突出する突部１２とを備え、これらが樹脂材料によって一体に成形されている。突部１２は、座部１１の幅方向の中央部に位置している。この突部１２の幅方向の厚みは、上述した引き戸１の溝部１ｂの幅方向の長さよりも小さく形成されており、引き戸１を開閉移動させたとしても突部１２が溝部１ｂの内壁部に干渉しないようになっている。また、この突部１２の突出長さは、溝部１ｂの深さよりも小さく形成されており、溝部１ｂ内の上面と干渉しないようになっている。
【００２２】
また、この突部１２は、引き戸１に前後方向（引き戸１の板厚方向）への力が作用したときに、この突部１２と溝部１ｂの内壁とが当接して引き戸１が前後方向に外れないようにする振れ止めとしても機能する。
【００２３】
また、座部１１には、突部１２の幅方向の両側に皿穴１３がそれぞれ設けられている。ブロック体１０は、この皿穴１３に取付ねじ（図示せず）を通して締結することによって床面５に固定される。
【００２４】
突部１２の戸閉側には、図３に示すように、座部１１の上面から上方に向かうに従い戸開側へと湾曲する当接面１２ｃが形成されている。この当接面１２ｃには、引き戸１を戸開側に移動させる際に、詳細は後述するレバー４０の緩衝部材５０（図５参照）が当接するようになる。
【００２５】
また、突部１２には、当接面１２ｃの上端部から戸開方向へ略水平に延びる頂部水平面１２ｄが形成されている。この頂部水平面１２ｄには、引き戸１を戸閉側に移動させる際に、詳細は後述するレバー４０の接触面４３ａが接触するようになる（詳細は後述する）。
【００２６】
頂部水平面１２ｄには、傾斜ざぐり穴１２ａが形成されている。この傾斜ざぐり穴１２ａは、上面から戸開方向下側に向けて斜めに形成されており、座部１１の下面まで連通している。この傾斜ざぐり穴１２ａに取付ねじ（図示せず）を挿通して締結すると、取付ねじの頭部はざぐり穴の内部に入り込み、頂部水平面１２ｄよりも上側に突出しないようになる。このように戸開方向へ斜めに固定することで、ブロック体１０に戸開方向へ力が作用したとしても、この力をより確実に受けることができる。
【００２７】
図４は、ストッパー装置２０の斜視図、図５はその分解斜視図である。また、図６はレバー４０の回動支持部４１の拡大図である。
【００２８】
ストッパー装置２０は、図４および図５に示すように、外側部分を構成する外側ケース３０（本体部）と、この外側ケース３０の内部に組み付けられるレバー４０と、レバー４０を外側ケース３０に対して回動させるための回動中心となる回動軸６０とで構成されている。
【００２９】
外側ケース３０は、下側が開口する断面コ字形状に形成されており、幅方向の側部に位置する２つの縦壁部３１、３１と、これらの縦壁部３１、３１の上端を幅方向に繋ぐ上面部３２とで構成されている。また、外側ケース３０の戸開側および戸閉側の端面は、開口している。さらに、上面部３２の戸開側の端部は、縦壁部３１の端部よりも戸開側へ延びる延出部３３が形成されている。
【００３０】
２つの縦壁部３１、３１には、それぞれを幅方向に貫通する態様で案内凸部誘導長穴３１ａ、回動軸取付穴３１ｂが形成されている。また、上面部３２には、上下方向に貫通する取付穴３２ａが形成されている。同様に、延出部３３には、上下方向に貫通する取付穴３３ａが形成されている。これらの取付穴３２ａ、３３ａには取付ねじ（図示せず）が下側からそれぞれ挿通され、これらの取付ねじを締結することによってストッパー装置２０が引き戸１の溝部１ｂ内の上面に取り付けられる。
【００３１】
レバー４０は、図５に示すように、外側ケース３０の下側開口から組み付けられ、詳細は後述する回動軸６０を介して外側ケース３０に対して回動自在に取り付けられる。このレバー４０は、図５に示すように、紙面の正面から見て左側（戸閉側）に位置する回動支持部４１と、この回動支持部４１から戸開側に延びる連結部４２と、この連結部４２の終端部から戸開方向の下側に斜めに延びる傾斜部４３とで構成されている。レバー４０は、これらの部分が樹脂成形によって一体に形成されている。
【００３２】
回動支持部４１は、幅方向に間隔を空けて設けられ、戸閉側へ突出するように延びている。この回動支持部４１には、幅方向に貫通する第２回動軸取付穴４１ａ、４１ａが形成されている。また、この回動支持部４１の戸閉側の先端部は、図６に示すように、円弧状に形成されており、この円弧状部分には、第１ラッチ溝４１ｂおよび第２ラッチ溝４１ｃが形成されている。
【００３３】
連結部４２には、上下方向に連通する取付長穴４２ａが形成されている。この取付長穴４２ａには、レバー４０を外側ケース３０内に組み付けた状態で、取付穴３２ａに挿通させる取付ねじ（図示せず）を下側から通すための逃げのようなものである。また、連結部４２の戸開側の終端部には、レバー４０の幅方向に貫通する回動軸取付穴４２ｂが形成されている。
【００３４】
傾斜部４３は、図６および図７（Ｂ）に示すように、回動軸取付穴４２ｂから略直線状に戸開側の斜め下側に向けて延びており、その下面に略平面状をなす接触面４３ａが形成されている。この接触面４３ａは、引き戸１の開閉動作時に上述したブロック体１０の頂部水平面１２ｄおよび傾斜面１２ｂと接触・摺動するようになる。また、傾斜部４３には、中央部よりも少し戸開側に、幅方向に突出する案内凸部４３ｂが形成されている。
【００３５】
また、傾斜部４３の戸開側の端部には、略コ字形状の窪みが形成されており、この窪みに緩衝部材５０が挿嵌されている。この緩衝部材５０は、接着剤或いはねじ止めなどの手段によって取り付けられている。この緩衝部材５０は、上述したブロック体１０の当接面１２ｃと当接する際に、音や衝撃を吸収するためのものである。なお、この緩衝部材５０を含め、レバー４０の開側端部を総称して当接部Ｔとする。
【００３６】
レバー４０は、回動軸取付穴４２ｂを挟んで、開閉方向における戸開側の部分（傾斜部４３側の部分）の重量が、戸閉側の部分（回動支持部４１側の部分。後述する切り替えレバー８０も含む）の重量よりも重くなるように形成されている。これにより、詳細は後述する回動軸６０を回動軸取付穴３１ｂ、４２ｂに挿通させた状態で、レバー４０が時計回りのモーメント力によって自重で回転するようになる。
【００３７】
さらに、レバー４０は、回動軸取付穴４２ｂから回動支持部４１までの長さよりも、回動軸取付穴４２ｂから緩衝部材５０までの長さを大きくしている。これにより、回動支持部４１を押し込むときの押し込み長さ（押し込み量）に対し、緩衝部材５０が回動して移動する長さ（回動量）を大きく確保できるようになる。その結果、わずかな押し込み量でブロック体１０と緩衝部材５０との当接を解除することができる。
【００３８】
案内凸部４３ｂは、外側ケース３０内にレバー４０を組み付ける際に、案内凸部誘導長穴３１ａ内に挿入される。案内凸部４３ｂは、案内凸部誘導長穴３１ａに沿って移動することで、レバー４０の回動範囲を規制している。
【００３９】
回動軸６０は、回動軸取付穴３１ｂ、４２ｂが幅方向に連通するように調整した後に、外側ケース３０の外側から挿入される。回動軸６０は、その挿入後、先端部をかしめることによって外側ケース３０に取り付けられる。この回動軸６０は、レバー４０を自由に回動させるための回転中心となっている。
【００４０】
図７は切り替えレバー８０を単体で示す斜視図である。さらに、図８は、回動支持部４１に切り替えレバー８０を下側に回動させた状態を示す拡大斜視図、図９は、図８の状態から切り替えレバー８０を上側に回動させた状態を示す拡大斜視図である。
【００４１】
レバー４０の回動支持部４１には、図６、図８、図９に示すように、第２回動軸７０を介して切り替えレバー８０が回動自在に取り付けられている。この切り替えレバー８０は、図７に示すように、回動基端部８２と、この回動基端部８２から第１爪部８３、第２爪部８４が延びるように形成されている。また、第１爪部８３と第２爪部８４との間には、係合凹部８６が形成されている。
【００４２】
回動基端部８２には、図６に示すように、幅方向に貫通する挿通穴８２ａが形成されている。この回動基端部８２は、レバー４０の回動支持部４１、４１の間に挿入され、第２回動軸取付穴４１ａ、４１ａと挿通穴８２ａに第２回動軸７０を挿通することによって、回動自在に組み付けられる。
【００４３】
第１爪部８３には、図７〜図９に示すように、外側（係合凹部８６の反対側）に略平面状に形成された押圧面８３ａが形成されている。この押圧面８３ａは、利用者がセーフティーストッパーＳのロックを解除する際に指で押圧する面である。さらには、第１爪部８３の内側には、図９に示すように、この爪部を補強するための補強リブ８３ｂが形成されている。
【００４４】
第２爪部８４には、第１爪部８３と同様に、外側に平面８４ａが形成されている。また、第２爪部８４の回動基端部８２側には、回動支持部４１に向けて突出し、第１ラッチ溝４１ｂまたは第２ラッチ溝４１ｃと係合する突起８５が設けられている。この突起８５は、図８に示すように、第２ラッチ溝４１ｃと係合した状態で、切り替えレバー８０が下側に向けられた位置で保持されるようになる。また、図９に示すように、第１ラッチ溝４１ｂと係合した状態で、切り替えレバー８０が上側に向けられた位置で保持されるようになる。
【００４５】
また、突起８５は、第２ラッチ溝４１ｃと係合した状態から上側に向けて回動させる際に、突起８５が押されて弾性によって変形し、回動支持部４１の円弧状の縁部とこすれながら移動する。これにより、利用者は、切り替えレバー８０の操作中に少し重い感覚を受ける。そして、突起８５が第１ラッチ溝４１ｂに到達したときに上述した突起８５の弾性変形がもとに戻ることで重い感覚はなくなり、利用者がこの第１ラッチ溝４１ｂ内に到達したこと（溝に係合したこと）を認識できるようにしている。なお、第１ラッチ溝４１ｂから第２ラッチ溝４１ｃへ回動させるときも、同様である。
【００４６】
係合凹部８６は、利用者が切り替えレバー８０を上下に回動させるために、工具（例えば、マイナスドライバー）の先端を挿入するためのものである。なお、この切り替えレバー８０を含め、レバー４０の戸閉側端部を総称して操作部Ｐとする。
【００４７】
上述したストッパー装置２０を引き戸１の溝部１ｂ内であって、その戸先側１ａに取り付けた状態では、引き戸１の表側および裏側からストッパー装置２０の切り替えレバー８０以外の部分が見えないようになる（図２（Ａ）および図２（Ｂ）参照）。また、ストッパー装置２０の切り替えレバー８０が、引き戸１の溝部１ｂの戸先側１ａの端面の開口１ｃから表出するようになる（図２参照）。さらには、ブロック体１０についても、戸袋２の内方に取り付けられているので、引き戸１の表側および裏側からブロック体１０が見えないようになる（図２参照）。そのため、引き戸１の意匠性が損なわれることがない。
【００４８】
なお、本明細書で使用する「表出」とは、外側から見える程度の意味であり、開口から突出している状態、面一の状態、或いは表面よりも奥まった状態のいずれもが含まれるものである。
【００４９】
また、切り替えレバー８０は、図４に示すように、ストッパー装置２０を溝部１ｂ内に組み付けた状態で、引き戸１の溝部１ｂの戸先側１ａ端面の開口１ｃから少しだけ突出するように構成されている。この切り替えレバー８０の突出長さは、ストッパー装置２０を取り付けるときに任意に調整することができる。これにより、利用者が切り替えレバー８０を押し込む操作を容易に行うことができる。また、利用者の両手が塞がっているときには、突出する切り替えレバー８０を足で押し込むようにすることで操作することもできる。なお、当然に、切り替えレバー８０の先端部分が戸先側１ａ端面の開口１ｃと面一に、或いは、突出しないように調整して取り付けることもできる。
【００５０】
次に、本発明の実施の形態に係るセーフティーストッパーＳの機能（作動）・動作について説明する。
図１０は、ストッパー装置２０であって、（Ａ）は切り替えレバー８０を下側に回動させた状態、（Ｂ）は上側に回動させた状態を示す。また、図１１は、図４の状態から切り替えレバー８０を上側に回動させた状態を示す斜視図である。
【００５１】
セーフティーストッパーＳが機能する前は、図１（Ａ）に示すように、引き戸１の戸先側１ａがブロック体１０よりも戸閉側に位置し、ストッパー装置２０がブロック体１０に対し離れた位置にある。この状態において、引き戸１は、引き戸１を閉じた状態からセーフティーストッパーＳが機能するまでの長さ（図１で示すＬ１の長さ）を開閉方向に自由に移動することができる。
【００５２】
引き戸１が図１（Ａ）の状態から所定の位置（引き戸の取手を持つ人の指が戸袋等に挟まれる手前側の位置）に移動すると、図１（Ｂ）に示すように、ブロック体１０の当接面１２ｃとストッパー装置２０のレバー４０の緩衝部材５０とが当接する。より詳細には、レバー４０は、自重によって傾斜部４３が下側に回動した位置にあるため、当接面１２ｃと緩衝部材５０とが当接することになる。この状態では、図４に示すように、切り替えレバー８０は、下側に回動した位置にあり、第１爪部８３が外側ケース３０の戸閉側縁部３１ｄよりも突出した状態になる。これにより、セーフティーストッパーＳが機能（ロック）することになり、引き戸１の戸先部１ａが戸袋２の開口部２ａから長さＬ２（図１（Ｂ）参照）だけ突出した位置で停止し、引き戸１がこれ以上開かないようになる。
【００５３】
また、出入り口から車いすなどを搬入出させるために、より大きな出入り口（開口）を確保する場合には、図１０（Ａ）に示すように、切り替えレバー８０の押圧面８３ａを押して、回動軸６０を中心にレバー４０を反時計回りに回動させる。緩衝部材５０は上側に移動するため、ブロック体１０の当接面１２ｃと当接しなくなる（ロック解除）。これにより、引き戸１の戸先側１ａが長さＬ２だけ突出した状態（図１（Ｂ）の状態）のままで、ロックを解除することができる。
【００５４】
なお、上述した引き戸１の戸先側１ａの突出長さＬ２（および、開口長さＬ１）は、開閉方向におけるブロック体１０の取付位置を調整することによって任意に変更することができる。これにより、引き戸１の種類や構造などに合わせて、最適な突出長さＬ２を得ることができる。
【００５５】
また、緩衝部材５０が当接面１２ｃよりも戸開側へ移動したときに切り替えレバー８０から手を離すと、レバー４０は、傾斜部４３の自重によって回動軸６０を中心に時計回りに回動する。この状態で引き戸１を戸開側に押し込めば、図１（Ｃ）に示すように、引き戸１を完全に開いた状態まで開ききることができる。
【００５６】
さらに、引き戸１を再び戸閉側に移動させると、レバー４０の傾斜部４３の接触面４３ａがブロック体１０と接触する。この状態から引き戸１をさらに閉じると、レバー４０の傾斜部４３が押し上げられてレバー４０が反時計回りに回動する。そして、傾斜部４３がブロック体１０を閉方向に乗り越えると、傾斜部４３が自重で下がり、レバー４０が時計回りに回動する。これにより、図１（Ａ）の状態に自動復帰することになる。
【００５７】
一方、ロックを解除した状態を保持する場合には、図１０（Ｂ）に示すように、切り替えレバー８０を上側に回動させるようにする。この作業は、図4、図１０（Ａ）に示す戸閉側縁部から指を入れ、切り替えレバー８０の平面８４ａ或いは係合凹部８６あたりを引き出して切り替えレバー８０を起こすようにし、その後、平面８４ａを押し込むようにすることで行うことができる。このとき、レバー４０は回動軸６０を中心に反時計回りに回動し、緩衝部材５０が上側に移動してブロック体１０と当接しなくなるとともに、切り替えレバー８０の第１爪部８３の先端部が外側ケース３０の上面部３２と当接して、レバー４０が回動した状態を保持するようになる。これにより、セーフティーストッパーＳのロックを解除した状態を保持することができ、引き戸１は、図１（Ａ）の状態から、図１（Ｂ）の状態を経由せずに、図１（Ｃ）の状態まで完全に開ききることができる。
【００５８】
この状態では、図２（Ａ）、（Ｂ）、図１０（Ｂ）、図１１に示すように、引き戸１の戸先側１ａから見て、上側に回動した切り替えレバー８０の第２爪部８４の平面８４ａが見えるようになる。この平面８４ａは、引き戸１の戸先側１ａの面とほぼ平行であり、ほぼ面一或いは少し奥側に位置するようになる。これにより、戸先側１ａから見て意匠性が損なわれないようにしている。
【００５９】
また、再び、切り替えレバー８０を下側へ回動させることで、ロック解除を保持した状態から、ロックを解除した状態からロック可能な状態へ戻すことができる。この作業は、利用者が切り替えレバー８０の係合凹部８６に工具（図示せず）を挿し込んで、切り替えレバー８０を回動させることで、容易に行うことができる。
【００６０】
すなわち、戸先側１ａから表出している切り替えレバー８０を上下に回動させることで、ロックを解除した状態を保持する機能と、ロックを解除した状態からロック可能な状態へ自動復帰する機能とを選択可能に切り替えることができる。
【００６１】
本発明の実施の形態に係る引き戸装置ＨおよびセーフティーストッパーＳによれば、セーフティーストッパーＳには、引き戸１の戸閉方向における戸先側１ａから表出し、ロックを解除した状態を保持する機能と、ロックを解除した状態からロック可能な状態へ自動復帰する機能とを選択可能な切り替えレバー８０が設けられているので、利用者は、これらの機能の切り替え作業を容易に行うことができる。
【００６２】
また、セーフティーストッパーＳは、建屋側部材に取り付けられたブロック体１０と、引き戸側１ａに取り付けられ、戸開時にブロック体１０に当接することによってロックされるレバー４０を有するストッパー装置２０とで構成され、ストッパー装置２０には、引き戸１の板厚方向に延在し、レバー４０が上下に回動する回動軸６０が設けられ、レバー４０には、ストッパー装置２０の引き戸閉方向における端部から表出し、切り替えレバー８０が設けられた操作部Ｐと、回動軸６０を挟んで操作部Ｐの反対側に、引き戸１を開方向へ移動させるときにブロック体１０と当接する当接部Ｔとが設けられ、切り替えレバー８０は、操作部Ｐの第２回動軸７０を中心に回動し、一方の回動位置でストッパー装置２０の本体部３０と当接することで、レバー４０の当接部Ｔがブロック体１０と当接しない位置で保持されるようになり、他方の回動位置で本体部３０と当接しないようにすることで、レバー４０の当接部Ｔがブロック体１０と当接する位置まで自重で回動するように構成しているので、戸先側１ａから表出する切り替えレバー８０を上下に回動させるだけで、２つの機能を容易に切り替えることができる。これにより、従来の引き戸装置と比較して、セーフティーストッパーＳが常に機能しないようにして、引き戸１を常に開ききれるようにすることができる。
【００６３】
さらに、切り替えレバー８０には、切り替えレバー８０を回動させるための第１爪部８３および第２爪部８４が設けられており、第２爪部８４は、切り替えレバー８０がストッパー装置２０の本体部３０と当接した状態で、引き戸１の戸先側１ａの面とほぼ面一になるように構成されているので、切り替えレバー８０を容易に回動させることができるとともに、戸先側１ａから見たときの意匠性を損なうことがない。
【００６４】
以上、本発明の実施の形態に係る引き戸装置ＨおよびセーフティーストッパーＳについて述べたが、本発明は既述の実施形態に限定されるものではなく、本発明の技術思想に基づいて各種の変形および変更が可能である。
【００６５】
図１２は、ストッパー装置の変形例であって、切り替えレバーを下側に回動させた状態、図１３は、図１２の分解斜視図である。また、図１４（Ａ）は、図１２の状態から切り替えレバーを上側に回動させた状態、（Ｂ）は、図１２の状態から切り替えレバーを回動させずに押圧部を押し込んだ状態である。さらに、図１５（Ａ）は、図１２を戸先側の斜め上から見た斜視図、（Ｂ）は、図１４（Ａ）を戸先側の斜め上から見た斜視図である。また、図１６は、切り替えレバーを下側に回動させた状態を示す拡大斜視図、図１７は、図１６の状態から切り替えレバーを上側に回動させた状態を示す拡大斜視図である。
【００６６】
なお、以下の変形例の説明では、本発明の実施例で説明した構造と異なる部分についてのみ説明し、同一の構造については、図に同一の符号を付することで説明を省略する。
【００６７】
ストッパー装置１２０の外側ケース１３０（本体部）は、図１２〜図１５に示すように、下側が開口する断面略コ字形状に形成されており、戸閉側の先端部にフロントカバー１８０が取り付けられている。このフロントカバー１８０は、外側ケース１３０と同様に断面略コ字形状に形成されており、樹脂材料で一体に形成されている。
【００６８】
このフロントカバー１８０には、図１３に示すように、戸閉側に突出する嵌合凸部１８１が設けられており、外側ケース１３０には、この嵌合凸部１８１と対応する位置に、当該嵌合凸部１８１が嵌め込まれる嵌合凹部１３４が設けられている。このフロントカバー１８０を外側ケース１３０に取り付けた状態では、戸閉側から見て、外側ケース１３０を覆うようになる。これにより、例えば外側ケース１３０を金属で製作している場合であっても、この金属部分をフロントカバー１８０で覆い隠すことができるので、戸閉側から見た意匠性をより良くすることができる。
【００６９】
外側ケース１３０内に組み付けられるレバー１４０は、その戸閉側の部分に、回動支持部１４１が形成されている。この回動支持部１４１には、図１３に示すように、第２回動軸７０が取り付けられるための第２回動軸取付穴４１ａ、４１ａと、この第２回動軸取付穴４１ａ、４１ａの下側に延びるように形成された押圧部１４２が形成されている。また、幅方向に離間して設けられた第２回動軸取付穴４１ａ、４１ａの間には、詳細は後述する切り替えレバー１９０が取り付けられる取付溝１４３が設けられている。
【００７０】
切り替えレバー１９０は、図１３に示すように、略Ｌ字形状に形成されており、そのＬ字形状の１辺が第１爪部１９１であり、この第１爪部１９１と略直角をなす他辺が第２爪部１９２になっている。また、これらの第１爪部１９１、第２爪部１９２が交わる基端部には、幅方向に貫通する挿通穴１９３が形成されている。
【００７１】
この挿通穴１９３には、第２回動軸取付穴４１ａ、４１ａとともに第２回動軸７０が挿通される。これにより、切り替えレバー１９０は、第２回動軸７０を中心にして、レバー４０に対して上下に自由に回動できるようになっている。
【００７２】
押圧部１４２には、戸閉側に平坦な押圧面１４２ａが形成されている。また、取付溝１４３は、切り替えレバー１９０が組み付けられた状態で、この切り替えレバー１９０が自由に回動できる程度に形成されている。
【００７３】
ストッパー装置１２０は、図１２に示すように、通常状態では、緩衝部材５０が下側に位置し、セーフティーストッパーＳが機能する（ロックされる。図１（Ｂ）参照）態様で引き戸１の溝部１ｂ内に取り付けられている。この状態では、図１５（Ａ）に示すように、押圧部１４２が戸閉側に少しだけ斜めに突出している。
【００７４】
この状態からロックを解除する場合、図１４（Ｂ）に示すように、押圧部１４２の押圧面１４２ａを押し込むようにする。これにより、緩衝部材５０は上側へと移動してブロック体１０と当接しなくなり、引き戸１を完全に開ききることができる（図１（Ｃ）参照）。
また、押圧部１４２から手を離すと、レバー１４０は、自重によって時計回りに回動し、元の状態（図１２の状態）に自動復帰することになる。
【００７５】
一方、ロックを解除した状態を保持する（自動復帰しないようにする）には、押圧部１４２を押し込んだ状態で、切り替えレバー１９０を回動させる。切り替えレバー１９０は、図１２および図１６に示すように、第１爪部１９１の先端部が下側を向き、第２爪部１９２の先端部が戸開側へ向くようにして組み付けられている。この状態から、第１爪部１９１を戸開側へ押し込むと、図１４（Ａ）および図１７に示すように、切り替えレバー１９０は反時計回りに約９０度だけ回動し、自動復帰ができないようになる。
【００７６】
より詳細には、第１爪部１９１は、その先端部が戸開側に向くようになり、この先端部が取付溝１４３の内壁に当接する。これにより、第１爪部１９１がレバー１４０を反時計回りに押し上げ、緩衝部材５０が上側に持ち上がるようになる。また、第２爪部１９２は、その先端部が上側に向くようになり、外側ケース１３０の上面部３２（或いは、フロントカバー１８０の上面部）に当接する。これにより、第２爪部１９２がレバー１４０の重量を支えることによって、レバー１４０が自動復帰しなくなる。
【００７７】
また、第２爪部１９２の基端部側には、図１６および図１７に示すように、突起１９４が形成されており、この突起１９４が第１ラッチ溝４１ｂおよび第２ラッチ溝４１ｃと係合することにより、上述した回動前後の位置が規制されるようになる。
【００７８】
切り替えレバー１９０を約９０度だけ回動させた状態では、図１４（Ａ）、図１５（Ｂ）に示すように、押圧部１４２の押圧面１４２ａ、および第２爪部１９２の平面１９２ａは、引き戸１の戸先側１ａの面とほぼ平行であり、ほぼ面一或いは少し奥側に位置するようになる。これにより、戸先側１ａから見て意匠性が損なわれないようにしている。
【００７９】
このような構造の引き戸装置ＨおよびセーフティーストッパーＳは、フロントカバー１８０を設けることで、戸先側から見て外側ケース１３０をフロントカバー１８０で覆い隠すことができるので、戸閉側から見た意匠性をより良くすることができる。
【００８０】
このような切り替えレバー１９０を用いることによっても、本実施例に記載したように、ロックを解除した状態を保持する機能と、ロックを解除した状態からロック可能な状態へ自動復帰する機能とを選択可能に行うことができる。これにより、利用者は、これらの機能の切り替え作業を容易に行うことができる。
【００８１】
また、第２爪部１９２の平面１９２ａは、切り替えレバー１９０がストッパー装置１２０の本体部１３０と当接した状態で、引き戸１の戸先側１ａの面とほぼ面一になるように構成されているので、戸先側１ａから見たときの意匠性を損なうことがない。さらには、押圧部１４２の押圧面１４２ａも戸先側１ａの面とほぼ面一になるので、戸先側の開口１ｃが、平面１９２ａと押圧面１４２ａで平面状に覆われるようになるため、さらに意匠性を向上させることができる。
【符号の説明】
【００８２】
１  引き戸
１ａ  引き戸の戸先部（戸先側）
１ｂ  溝部
１ｃ  溝部の戸先側端面の開口
２  戸袋
２ａ  戸袋の開口部（開口側）
５  床面（建屋側部材）
１０  ブロック体
１１  座部
１２  突部
１２ａ  傾斜ざぐり穴
１２ｂ  傾斜面
１２ｃ  当接面
１２ｄ  頂部水平面
１３  皿穴
２０、１２０  ストッパー装置
３０、１３０  外側ケース（本体部）
３１  縦壁部
３１ａ  案内凸部誘導長穴
３１ｂ  回動軸取付穴
３１ｃ  戸開側縁部
３１ｄ  戸閉側縁部
３２  上面部
３２ａ、３３ａ  取付穴
３３  延出部
４０  レバー
４１、１４１  回動支持部
４１ａ  第２回動軸取付穴
４１ｂ  第１ラッチ溝
４１ｃ  第２ラッチ溝
４２  連結部
４２ａ  取付長穴
４２ｂ  回動軸取付穴
４３  傾斜部
４３ａ  接触面
４３ｂ  案内凸部
５０  緩衝部材
６０  回動軸
７０  第２回動軸
８０、１９０  切り替えレバー
８２  回動基端部
８２ａ  挿通穴
８３、１９１  第１爪部
８３ａ  押圧面
８３ｂ  補強リブ
８４、１９２  第２爪部
８４ａ、１９２ａ  平面
８５、１９４  突起
８６  係合凹部
１３４  嵌合凹部
１４２ａ  押圧面
１４３  取付溝
１８０  フロントカバー
１８１  嵌合凸部
１９１  切り替えレバー
Ｈ  引き戸装置
Ｓ  セーフティーストッパー
Ｌ１  セーフティーストッパーの作動時の開口長さ
Ｌ２  セーフティーストッパーの作動時の引き戸先端側の突出長さ
Ｌ３  セーフティーストッパーの作動解除時の開口長さ
Ｔ  当接部
Ｐ  操作部
【図１】
2019218785.tif 000003
【図２】
2019218785.tif 000004
【図３】
2019218785.tif 000005
【図４】
2019218785.tif 000006
【図５】
2019218785.tif 000007
【図６】
2019218785.tif 000008
【図７】
2019218785.tif 000009
【図８】
2019218785.tif 000010
【図９】
2019218785.tif 000011
【図１０】
2019218785.tif 000012
【図１１】
2019218785.tif 000013
【図１２】
2019218785.tif 000014
【図１３】
2019218785.tif 000015
【図１４】
2019218785.tif 000016
【図１５】
2019218785.tif 000017
【図１６】
2019218785.tif 000018
【図１７】
2019218785.tif 000019